【手続補正書】
【提出日】令和3年7月5日(2021.7.5)
【手続補正１】
【補正対象書類名】特許請求の範囲
【補正対象項目名】全文
【補正方法】変更
【補正の内容】
【特許請求の範囲】
【請求項１】
処理デバイスと、
前記処理デバイスに結合され、命令を格納するメモリと
を備えるシステムであって、前記命令は前記処理デバイスによって実行されるときに、
ロボットにおいて１つ又は複数の入力を受け取ることと、
前記１つ又は複数の入力を前記ロボットによってパーソナル・アシスタントへ提供することと、
外部デバイスに向けられた１つ又は複数のコマンドを前記ロボットによって前記パーソナル・アシスタントから受け取ることと、
前記ロボットによって前記外部デバイスの接続性ステータスを判定することと、
前記１つ又は複数のコマンド及び前記外部デバイスの前記接続性ステータスに基づいて、前記外部デバイスと関係付けられた位置に関して前記ロボットを動かすことと、
前記ロボットから前記外部デバイスへの１つ又は複数の命令の送信を開始することと
を含むオペレーションを前記システムに実行させる、システム。
【請求項２】
前記外部デバイスと関係づけられた位置に関してロボットを動かすことが、前記外部デバイスとの接続を確立することを含む請求項１に記載のシステム。
【請求項３】
前記メモリは、確認コンテンツを生成することを含むオペレーションを前記システムに実行させる命令を更に格納する、請求項１に記載のシステム。
【請求項４】
前記確認コンテンツは、前記１つ又は複数の命令が前記外部デバイスによって実行されたことを示す、請求項３に記載のシステム。
【請求項５】
前記メモリは、前記確認コンテンツを前記パーソナル・アシスタントへ提供することを含むオペレーションを前記システムに実行させる命令を更に格納する、請求項３に記載のシステム。
【請求項６】
１つ又は複数の入力を受け取ることは、
１つ又は複数の第１の入力を受け取ることと、
前記１つ又は複数の第１の入力を処理して、前記１つ又は複数の第１の入力と関係付けられた１つ又は複数の品質メトリックを計算することと、
計算された前記１つ又は複数の品質メトリックに基づいて、前記ロボットに関して１つ又は複数の調整を開始することと、
１つ又は複数の第２の入力を受け取ることと
を含む、請求項１に記載のシステム。
【請求項７】
１つ又は複数の命令の送信を開始することは、
前記外部デバイスから発生するコンテンツを前記ロボットを介して要求することと、
前記外部デバイスから前記コンテンツを受け取ることと、
前記コンテンツを前記ロボットに保存することと、
前記ロボットから１つ又は複数のデバイスへ前記コンテンツを中継することと
を含む、請求項１に記載のシステム。
【請求項８】
前記メモリは、
前記ロボットにとってアクセス可能な１つ又は複数の構成要素を識別することと、
前記１つ又は複数のコマンドを考慮して、前記１つ又は複数の構成要素のうちの少なくとも１つを選択することと、
前記１つ又は複数の構成要素のうちの前記少なくとも１つに関して、１つ又は複数の動作を開始することと
を含むオペレーションを前記システムに実行させる命令を更に格納する、請求項１に記載のシステム。
【請求項９】
前記１つ又は複数の構成要素は、
前記ロボットの中に組み込まれた１つ又は複数のセンサ、前記ロボットと通信しているデバイスの中に組み込まれた１つ又は複数のセンサ、又は前記ロボットの外部にある１つ又は複数のセンサのうちの少なくとも１つを含む、請求項８に記載のシステム。
【請求項１０】
パーソナル・アシスタントから、外部デバイスに向けられた１つ又は複数のコマンドを受け取ることと、
前記外部デバイスの接続性ステータスを判定することと、
前記１つ又は複数のコマンド及び前記外部デバイスの前記接続性ステータスに基づいて、前記外部デバイスと関係付けられた位置に関してロボットを動かすことと、
前記ロボットから前記外部デバイスへの１つ又は複数の命令の送信を開始することと、
前記ロボットにとってアクセス可能な、前記ロボットの中に組み込まれた１つ又は複数のセンサ、前記ロボットと通信しているデバイスの中に組み込まれた１つ又は複数のセンサ、又は前記ロボットの外部にある１つ又は複数のセンサのうちの少なくとも１つを含む１つ又は複数の構成要素を識別することと、
前記１つ又は複数のコマンド及び前記外部デバイスの前記接続性ステータスを考慮して、前記１つ又は複数の構成要素のうちの少なくとも１つを選択することと、
前記１つ又は複数の構成要素のうちの前記少なくとも１つに関して、１つ又は複数の動作を開始することと
を含む方法。
【請求項１１】
前記外部デバイスと関係づけられた位置に関してロボットを動かすことが、前記外部デバイスとの接続を確立することを含む請求項１０に記載の方法。
【請求項１２】
確認コンテンツを生成することを更に含む、請求項１０に記載の方法。
【請求項１３】
前記確認コンテンツは、前記１つ又は複数の命令が前記外部デバイスによって実行されたことを示す、請求項１２に記載の方法。
【請求項１４】
前記確認コンテンツを前記パーソナル・アシスタントへ提供することを更に含む、請求項１２に記載の方法。
【請求項１５】
１つ又は複数の入力を受け取ることが、
１つ又は複数の第１の入力を受け取ることと、
前記１つ又は複数の第１の入力を処理して、前記１つ又は複数の第１の入力と関係付けられた１つ又は複数の品質メトリックを計算することと、
計算された前記１つ又は複数の品質メトリックに基づいて、前記ロボットに関して１つ又は複数の調整を開始することと、
１つ又は複数の第２の入力を受け取ることと
を含む、請求項１０に記載の方法。
【請求項１６】
１つ又は複数の命令の送信を開始することは、
前記外部デバイスから発生するコンテンツを前記ロボットを介して要求することと、
前記外部デバイスから前記コンテンツを受け取ることと、
前記コンテンツを前記ロボットに保存することと、
前記ロボットから１つ又は複数のデバイスへ前記コンテンツを中継することと
を含む、請求項１０に記載の方法。
【請求項１７】
命令を有する、非一時的なコンピュータ読み取り可能な媒体であって、前記命令は前記非一時的なコンピュータ読み取り可能な媒体に保存され、前記命令が処理デバイスによって実行される時に、
一つ又は複数の第1の入力を受け取ることと、
前記一つ又は複数の第1の入力を処理して、前記1つ又は複数の第1の入力と関係づけられた1つ又は複数の品質メトリックを計算することと、
計算された前記１つ又は複数の品質メトリックに基づいて、前記ロボット関して１つ又は複数の調整を開始することと、
一つ又は複数の第２の入力を受け取ることと、
前記１つ又は複数の第２の入力をパーソナル・アシスタントへ提供することと、
外部デバイスに向けられた1つ又は複数のコマンドを前記パーソナル・アシスタントから受け取ることと、
前記ロボットによって前記外部デバイスの接続性ステータスを判定することと、
前記１つ又は複数のコマンド及び前記外部デバイスの前記接続性ステータスに基づいて、前記外部デバイスと関係付けられた位置に関してロボットを動かすことと、
前記ロボットにとってアクセス可能な１つ又は複数の構成要素を識別することと、
前記１つ又は複数のコマンド及び前記外部デバイスの前記接続性ステータスを考慮して、前記１つ又は複数の構成要素のうちの少なくとも１つを選択することと、
前記１つ又は複数の構成要素のうちの前記少なくとも１つに関して、１つ又は複数の動作を開始することと
を含むオペレーションを前記処理デバイスに実行させる、非一時的なコンピュータ読み取り可能な媒体。
【請求項１８】
前記１つ又は複数の構成要素のうちの前記少なくとも１つに関して、前記１つ又は複数の動作を開始することが、前記外部デバイスに関して１つ又は複数のコマンドを、前記１つ又は複数の構成要素のうちの前記少なくとも１つによって開始することを含む、請求項１７に記載の非一時的なコンピュータ読み取り可能な媒体。
【請求項１９】
前記外部デバイスの接続性ステータスを判定することが、前記パーソナル・アシスタントが前記外部デバイスと接続できないことを前記ロボットによって判定することを含む請求項１に記載のシステム。
【請求項２０】
前記外部デバイスの接続性ステータスを判定することが、前記パーソナル・アシスタントが前記外部デバイスと接続できないことを判定することを含む請求項１０に記載の方法。